(57)【要約】【課題】筐体の外郭に外部給水ホースを接続できる構成にでき、さらに、筐体内の漏水を機外に漏らさないとともに、筐体の底面に導いて漏水検知部に到達させて検知する。【解決手段】前面に前面開口部１ａを有する筐体１と、上面に上面開口部２ａを有し被洗浄物Ｄを収容する洗浄槽２と、筐体１内に収容された洗浄槽の上面開口部２ａを閉塞する内蓋１０と、洗浄槽２内に洗浄水を供給する給水部４と、洗浄水を加圧する洗浄ポンプ３と、筐体１の底面１ｅに設けられ水漏れを検知する漏水検知部２９と、洗い工程およびすすぎ工程を含む洗浄運転を実行する制御部１５と、を備え、筐体１は、後面外郭１ｄと、後面外郭１ｄの下部に外部給水ホース４ｃなどを収容する凹状外郭２６とを備え、凹状外郭２６は、樹脂で形成され、筐体１の内部における漏水または給水部４からの漏水を筐体１の底面１ｅに導くように構成される。【選択図】図９
2019208584.tif 000002
【特許請求の範囲】
【請求項１】
前面に前方開口部を有する筐体と、上面に上面開口部を有し被洗浄物を収容する洗浄槽と、前記筐体内に収容された前記洗浄槽の前記上面開口部を閉塞する内蓋と、前記洗浄槽内に洗浄水を供給する給水部と、洗浄水を加圧する洗浄ポンプと、前記筐体の底面に設けられ水漏れを検知する漏水検知部と、洗い工程およびすすぎ工程を含む洗浄運転を実行する制御部と、を備え、
前記筐体は、後面外郭と、前記後面外郭の下部に外部ホースを収容する凹状外郭とを備え、
前記凹状外郭は、樹脂で形成され、前記筐体の内部における漏水、または、前記給水部からの漏水、を前記筐体の底面に導くように構成される、
食器洗い機。
【請求項２】
前記凹状外郭は、前記後面外郭との上部嵌合部において外側に嵌合する第１リブと、前記筐体の底面外郭との下部嵌合部において内側に延出される第２リブと、を有する、
請求項１記載の食器洗い機。
【請求項３】
前記給水部は、外部の給水源から前記洗浄槽まで洗浄水を導く給水路を有し、
前記給水路は、前記筐体の外部に設けられる外部給水ホースと、前記外部給水ホースを覆い前記外部給水ホースからの漏水を受ける導水管とを有し、
前記凹状外郭は、前記給水路が貫通する第１貫通孔と、前記第１貫通孔の機外側に前記導水管が水密的に接続される接続部とを有し、前記導水管から溢れる漏水を前記筐体内に導くように構成される、
請求項１または２記載の食器洗い機。
【請求項４】
前記第１貫通孔は、前記給水路が鉛直に通過するように設けられ、
前記導水管から溢れる漏水を内側に導く誘導部が、前記第１貫通孔の機内側に設けられる、
請求項３記載の食器洗い機。
【請求項５】
前記凹状外郭は、収容した前記外部ホースを固定する配管固定具の係合孔を有するとともに、前記係合孔の上部に内側に延出される第３リブを有する、
請求項１〜４のうちいずれか１項に記載の食器洗い機。
【発明の詳細な説明】
【技術分野】
【０００１】
本発明は、洗浄水を用いて食器などを洗浄する食器洗い機に関する。
【背景技術】
【０００２】
従来の食器洗い機を図１３に示す。図１３は、従来のフロントオープン型の食器洗い機の側面断面図である。図１３に示すように、フロントオープン型の食器洗い機本体１０１の筺体１０５から外部に引き出されて通水配管に接続される給水ホース１０３や排水ホース１１３とそれの接続部位からの漏水による影響を防止するために、給水弁１０４を給水配管１１８の近傍に配置する。これと共に、給水ホース１０３などの通水ホースとそれが接続される構成要素を導水管状体１２４の中に収容する。仮に接続不備やホースの損傷などを原因とする漏水があっても、漏水は導水管状体１２４内に止められ、漏水量が所定量を越えると筺体１０５内に流入して漏水検知手段によって検知される。
【０００３】
この構成によって、食器洗い機を設置する際の設置工事の不備が原因となる場合を含めて通水管路からの漏水に対する対策を講じた食器洗い機が提供される。
【先行技術文献】
【特許文献】
【０００４】
【特許文献１】特表２００７−２０２８７５号公報
【発明の概要】
【発明が解決しようとする課題】
【０００５】
しかしながら、従来の食器洗い機の構成は、給水ホースが給水源となる給水配管まで一体に構成されている。そして、導水管状体は、製造段階で筐体に固定される。この構成では、給水ホースおよび排水ホースが本体と一体であり、本体の運搬や設置作業では邪魔になることがある。換言すれば、筐体の機内と機外とにおける接続部がなく、設置工事における接続作業を考慮しないものである。このため、運搬等に配慮して、給水ホースおよび導水管状体、排水ホースを別体とする構成については開示されていない。
【０００６】
本発明は、前記従来の課題を解決するもので、筐体の外郭に外部給水ホースを接続できる構成とし、筐体の内部における漏水または前記給水部からの漏水などが発生しても、凹状外郭がこれらの漏水を受けて、機外に漏らさないとともに、筐体の底面に導いて漏水検知部に到達させ、制御部は、漏水検知部からの信号により漏水を検知することができる食器洗い機を提供することを目的とする。
【課題を解決するための手段】
【０００７】
前面に前方開口部を有する筐体と、上面に上面開口部を有し被洗浄物を収容する洗浄槽と、前記筐体内に収容された前記洗浄槽の前記上面開口部を閉塞する内蓋と、前記洗浄槽内に洗浄水を供給する給水部と、洗浄水を加圧する洗浄ポンプと、前記筐体の底面に設けられ水漏れを検知する漏水検知部と、洗い工程およびすすぎ工程を含む洗浄運転を実行する制御部と、を備え、前記筐体は、後面外郭と、前記後面外郭の下部に外部ホースを収容する凹状外郭とを備え、前記凹状外郭は、樹脂で形成され、前記筐体の内部における漏水または前記給水部からの漏水、を前記筐体の底面に導くように構成される。
【０００８】
この構成によって、筐体の外郭に外部給水ホースを接続できる構成にできる。さらに、前記筐体の内部における漏水または前記給水部からの漏水などが発生しても、凹状外郭がこれらの漏水を受けて、機外に漏らさないとともに、筐体の底面に導くことができる。そ
して、底面に導かれた漏水は、漏水検知部に到達する。これにより、制御部は、漏水検知部からの信号により漏水を検知することができる。
【発明の効果】
【０００９】
本発明の食器洗い機は、筐体の外郭に外部給水ホースを接続できる構成にできる。さらに、筐体の内部における漏水または前記給水部からの漏水などが発生しても、凹状外郭がこれらの漏水を受けて、機外に漏らさないとともに、筐体の底面に導いて漏水検知部に到達させ、制御部は、漏水検知部からの信号により漏水を検知することができる。
【図面の簡単な説明】
【００１０】
【図１】本発明の実施の形態１における食器洗い機の側面断面模式図
【図２】図１に示す食器洗い機の状態から洗浄槽が引き出された状態の側面断面模式図
【図３】本実施の形態１における食器洗い機の後面側斜視図
【図４】本実施の形態１における食器洗い機の一部外郭を外した後面側斜視図
【図５】本実施の形態１における食器洗い機の裏蓋を外した後面側斜視図
【図６】図５に示すＡ−Ａ断面図
【図７】本発明の実施の形態２における食器洗い機の後面図
【図８】本実施の形態２における食器洗い機の後面の凹状外郭の内側面の斜視図
【図９】本実施の形態２における食器洗い機の凹状外郭の内側面の要部斜視図
【図１０】図７に示すＢ−Ｂ断面図
【図１１】図９に示すＣ−Ｃ断面図
【図１２】本実施の形態２における食器洗い機の凹状外郭の内側面の要部斜視図
【図１３】従来の食器洗い機の側面断面図
【発明を実施するための形態】
【００１１】
第１の発明の食器洗い機は、
前面に前方開口部を有する筐体と、上面に上面開口部を有し被洗浄物を収容する洗浄槽と、前記筐体内に収容された前記洗浄槽の前記上面開口部を閉塞する内蓋と、前記洗浄槽内に洗浄水を供給する給水部と、洗浄水を加圧する洗浄ポンプと、前記筐体の底面に設けられ水漏れを検知する漏水検知部と、洗い工程およびすすぎ工程を含む洗浄運転を実行する制御部と、を備え、前記筐体は、後面外郭と、前記後面外郭の下部に外部ホースを収容する凹状外郭とを備え、前記凹状外郭は、樹脂で形成され、前記筐体の内部における漏水または前記給水部からの漏水、を前記筐体の底面に導くように構成される。
【００１２】
この構成によって、筐体の外郭に外部給水ホースを接続できる構成にできる。さらに、前記筐体の内部における漏水または前記給水部からの漏水などが発生しても、凹状外郭がこれらの漏水を受けて、機外に漏らさないとともに、筐体の底面に導くことができる。そして、底面に導かれた漏水は、漏水検知部に到達する。これにより、制御部は、漏水検知部からの信号により漏水を検知することができる。
【００１３】
第２の発明は、特に、第１の発明において、
前記凹状外郭は、前記後面外郭との上部嵌合部において外側に嵌合する第１リブと、前記筐体の底面外郭との下部嵌合部において内側に延出される第２リブと、を有する。この構成によって、筐体の内部において、洗浄水が内蓋などから滴下したり、後面外郭の内側を伝い落ちたりする漏水を機外に漏らすことなく筐体の底面に導くことができる。
【００１４】
第３の発明は、第１または第２の発明において、
前記給水部は、外部の給水源から前記洗浄槽まで洗浄水を導く給水路を有し、前記給水路は、前記筐体の外部に設けられる外部給水ホースと、前記外部給水ホースを覆い前記外部
給水ホースからの漏水を受ける導水管とを有し、前記凹状外郭は、前記給水路が貫通する第１貫通孔と、前記第１貫通孔の機外側に前記導水管が水密的に接続される接続部とを有し、前記導水管から溢れる漏水を前記筐体内に導くように構成される。この構成によって、筐体内に導かれた漏水は、さらに筐体の底面に導かれて漏水検知部に到達し、制御部が検知できる。
【００１５】
第４の発明は、特に第３の発明において、
前記第１貫通孔は、前記給水路が鉛直に通過するように設けられ、前記導水管から溢れる漏水を内側に導く誘導部が、前記第１貫通孔の機内側に設けられる。この構成によって、導水管から第１貫通孔を介して機内に溢れる漏水は、筐体の内側に導かれる。
【００１６】
第５の発明は、特に第１〜４いずれかの発明において、
前記凹状外郭は、収容した前記外部ホースを固定する配管固定具の係合孔を有するとともに、前記係合孔の上部に内側に延出される第３リブを有する。この構成によって、係合孔から漏水が機外に出ることを防止し、漏水を凹状外郭の内面または筐体の底面に導くことができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における食器洗い機の側面断面模式図である。図１は、食器洗い機がシステムキッチンＳＫにビルトインされた状態を示す。図２は、図１に示す食器洗い機の状態から洗浄槽２が引き出された状態の側面断面模式図である。図３は、本実施の形態１における食器洗い機の後面側斜視図である。図４は、本実施の形態１における食器洗い機の一部外郭を外した後面側斜視図である。図４に示す食器洗い機は、左右側面と下面と後面の外郭が外されたものである。
【００１９】
本実施の形態１の食器洗い機は、筐体１と、洗浄槽２と、洗浄ポンプ３と、給水部４と、扉体５などを含む。なお、以降の実施の形態において、図１に示すように、前方向は扉体５および洗浄槽２が引き出される方向、後方向は洗浄槽２が収納され扉体５が閉じられる方向として説明する。また、食器洗い機の設置側を下方、反対側を上方とし、さらに、扉体５の正面に向かって右側を右方、左側を左方として説明する。
【００２０】
筐体１は、前面に前面開口部１ａを有する。洗浄槽２は、内部に食器かご６と、洗浄ノズル７と、排水口８と、残さいフィルタ９などを含む。洗浄槽２は、筐体１の内部に前後方向に出し入れ可能に設けられる。洗浄槽２は、上面に上面開口部２ａを有する。上面開口部２ａは、洗浄槽２が筐体１内に収容されたときに、筐体１内に配設された内蓋１０で閉塞される。内蓋１０は、洗浄槽２の出し入れと連動してリンク機構１１により上下動する。上面開口部２ａの周縁部に変形可能な中空状のゴムチューブで形成されたシール部１２が設けられる。シール部１２は、洗浄槽２が筐体１内に収容された際に、下降する内蓋１０により圧縮されて上面開口部２ａが密閉される。
【００２１】
食器かご６は、食器などの被洗浄物Ｄが載置される。扉体５は、洗浄槽２の前部に設けられ、収納時に筐体１の前面を覆う。洗浄槽２の出し入れは、扉体５に設けられたハンドル５ａを把持して行われる。給水部４は、給水路４ａ、給水弁４ｂ、エアブレーク装置１７、給水ホース１８などを含む。給水路４ａは、図示しない水道管に接続される。給水弁４ｂは、筐体１内後部の給水路４ａに設けられる。給水弁４ｂは、開放により、洗浄水となる水道水を洗浄槽２に供給する。
【００２２】
エアブレーク装置１７は、洗浄槽２の後面外側に設置される。エアブレーク装置１７は、水道管が負圧になった場合でも、洗浄槽２内の洗浄水が水道管に逆しないように構成される。給水ホース１８は、前後に移動する洗浄槽２とエアブレーク装置１７とを柔軟に連結する。給水ホース１８は、シリコーンゴムなどの柔軟な材料で形成される。筐体１の後面には大きな後面開口部１ｂが設けられる。この後面開口部１ｂを塞ぐ着脱可能な着脱部として裏蓋１６が設けられる。裏蓋１６が外されることにより、給水部４および排水部、後述する電装部品などのメンテナンスが可能になる。
【００２３】
洗浄ポンプ３は、洗浄槽２の底面外側に設けられる。洗浄ノズル７は、洗浄槽２の底面内側に設けられる。洗浄ポンプ３は、洗浄水を洗浄ノズル７に圧送する。洗浄ノズル７は、圧送された洗浄水の反力により回転しながら、食器かご６に載置された被洗浄物Ｄに向けて洗浄水を噴射する。つまり、洗浄ポンプ３は、洗浄槽２内に溜められた洗浄水を加圧して洗浄ノズル７に供給する。洗浄ノズル７から噴射された洗浄水は、被洗浄物に衝突して汚れを落とし、洗浄を行う。なお、洗浄水は、洗剤を含んで被洗浄物に噴射される洗浄液と、被洗浄物をすすぐためのすすぎ水とを含む。
【００２４】
排水口８は、洗浄槽２内の底部に設けられる。残さいフィルタ９は、排水口８に着脱自在に設けられ、被洗浄物から洗浄、除去された残さいを捕集する。ヒータ１３は、洗浄槽２内の底部に溜められる洗浄水中に没するように配設される。ヒータ１３は、洗い工程において、洗浄槽２内に溜められた洗浄水を加熱する。ヒータ１３は、乾燥工程において、洗浄槽２内の乾燥用空気を加熱する。洗浄槽２の底面外側に配設されたサーミスタ等の温度センサ１４は、洗浄槽２の温度を検知する。
【００２５】
洗浄ポンプ３は、吸い込み側が排水口８に連通され、残さいフィルタ９で残さいが除去された洗浄水を循環させる。さらに、洗浄ポンプ３は、循環時のモータの回転方向を反転させることにより排水ポンプとして機能し、洗浄槽２から洗浄水を排出する。なお、排水ポンプが独立して設けられてもよい。
【００２６】
排水部は、排水口８、排水ホース１９、排水路２０、排水ポンプなどを含む。排水路２０は、筐体１内後部の給水路４ａに並んで設けられる。排水ホース１９は、排水ポンプとして機能する洗浄ポンプ３の排出口と排水路２０とを柔軟に連結する。排水ホース１９は、シリコーンゴムなどの柔軟な材料で形成される。
【００２７】
給水ホース１８と排水ホース１９とは並行し、半円を描くように長めに設けられる。これら２本のホースは、洗浄槽２の前後の動きに追随できるように可動な支持部２１で支持される。支持部２１は、支持片２１ａと固定片２１ｂと支軸２１ｃとを有する。支持片２１ａは、給水ホース１８および排水ホース１９を保持する。固定片２１ｂは、筐体１に固定される。支軸２１ｃは、支持片２１ａが支軸２１ｃを中心に旋回可能となるように固定片２１ｂに連結する。支持部２１は、洗浄槽２が引き出されるとき、前方に旋回しながら給水ホース１８および排水ホース１９を送り出す。また、支持部２１は、洗浄槽２が収容されるとき、後方に旋回しながら給水ホース１８および排水ホース１９を無理に屈曲しないように所定位置に収容する。
【００２８】
これにより、支持部２１は、洗浄槽２が出し入れされるときに、給水ホース１８および排水ホース１９をスムーズな旋回で支持するとともに、給水ホース１８および排水ホース１９が他の部品と干渉したり無理に屈曲したりして、破損または閉塞するのを防ぐ。そして、給水ホース１８および排水ホース１９への負荷が抑制されるとともに、洗浄槽２がスムーズに出し入れされる。
【００２９】
なお、柔軟な給水ホース１８および柔軟な排水ホース１９は、必ずしも全体が柔軟であ
る必要はなく、所定の部分でつぶれないように折り曲げまたは捻じりが可能で、折り畳めるように構成されてもよい。
【００３０】
図４に示すように、エアブレーク装置１７と支持部２１とは、正面視で重ならないよう、上下および左右方向にずれた位置に設けられる。また、給水路４ａ、排水路２０、給水ホース１８および排水ホース１９も、エアブレーク装置１７の周囲を取り囲むように設けられる。これにより、洗浄槽２が収容されるときの洗浄槽２と筐体１の後面とのスペースは、これらの部品で奥行きサイズが最も大きな部品が収まるだけの空間が設けられればよい。したがって、必要な奥行き空間の寸法が小さくて済む。これにより、筐体１の奥行きサイズに対して洗浄槽２を前後方向に大きくすることができ、洗浄槽２の容積を大きくできる。
【００３１】
洗浄運転を実行する制御部１５は、扉体５の内側で洗浄槽２の前面外側に設けられている。制御部１５は、被洗浄物Ｄを洗う洗い工程、被洗浄物Ｄに付着した洗剤および残さいを流すすすぎ工程、および、被洗浄物Ｄを乾燥させる乾燥工程、を含み、これらの工程を逐次制御する。
【００３２】
次に、電装関連について説明する。図５は、本実施の形態における食器洗い機の裏蓋を外した後面側斜視図である。図６は、図５に示すＡ−Ａ断面図であり、ケース２４の側面断面図である。
【００３３】
商用電源を供給する電源コード２２が、筐体１の後面から引き込まれる。電源コード２２は、途中にコネクタ２３を介して制御部１５に接続される。コネクタ２３は、筐体１の後面内側に固定される樹脂材料で形成されたケース２４に収納される。また、制御部１５には、洗浄ポンプ３、給水弁４ｂ、ヒータ１３などの電装部品を制御するために、複数の電線をまとめたハーネス２５が接続される。ハーネス２５は、洗浄槽２の外側に沿って配設される。ハーネス２５は、洗浄槽２と筐体１の後面との間においては、給水ホース１８および排水ホース１９とともにまとめられ、支持部２１に支持されるように配設される。
【００３４】
ケース２４は、難燃性の樹脂材料を用いて、一面にケース開口部２４ａを有する箱形状に成形される。難燃性の樹脂材料としては、臭素系、リン系といった添加剤を混ぜた、アクリルニトリルブタジエンスチレン（ＡＢＳ）、ポリエチレンテレフタレート（ＰＥＴ）、ポリフェニレンサルファイド（ＰＰＳ）等のエンジニアリングプラスチックを用いることができる。また、ケース２４の上面２４ｂから側面にわたってリブ２４ｃが形成される。
【００３５】
ケース２４は、筐体１の後面開口部１ｂの上方で内側に凹むように成型される段押し部１ｃに、ケース開口部２４ａが後方を向くようにし、リブ２４ｃを当接させて固定される。ケース２４の下面には、電源コード２２やハーネス２５が通る通し孔２４ｄが設けられる。ケース開口部２４ａは後方を向いているので、裏蓋１６が外されれば、電源コード２２やハーネス２５のコネクタ２３に後方からアクセスして抜き差し可能になる。これにより、メンテナンスが容易になる。
【００３６】
裏蓋１６は、後面開口部１ｂを塞ぐとともに、段押し部１ｃまで覆うように形成される。このとき、ケース開口部２４ａは、裏蓋１６に当接し、裏蓋１６によって閉塞される。この構成によって、ケース２４は、全面が難燃性の樹脂材料および不燃性の鋼板によって囲まれる。これにより、裏蓋１６およびケース２４はいずれも発火することがなく、万一、コネクタ２３にショート等の不具合が生じて発火した場合においても延焼を防止することができ、安全性が向上する。また、ケース２４にはノイズフィルター等の電気部品を収納するように構成することもできる。これにより、万一、電気部品にショート等の不具合
が生じて発火した場合でも延焼を防止することができ、安全性が向上する。
【００３７】
さらに、食器洗い機は、洗浄中に一時停止して洗浄槽２が引き出されることがある。このとき、食器洗い機が振動し、リンク機構１１により筐体１内の上部で保持される内蓋１０から後部の空間に洗浄水が滴下したり、滴下した洗浄水が筐体１の後面を伝って流れ落ちたりるする場合がある。しかしながら、上記したケース２４の構成により、ケース２４がこれらの洗浄水の浸入を防止する。また、ケース２４の下面に通し孔２４ｄが設けられることで、電源コード２２およびハーネス２５を伝う洗浄水は遮断され、ケース２４内への洗浄水の侵入が防止される。これにより、洗浄水がケース２４内のコネクタ２３および電気部品に付着することを防止して安全性を向上できる。
【００３８】
なお、裏蓋１６が塞ぐ後面開口部１ｂは、筐体１の後面の中段に大きく形成される。給水部４の給水弁４ｂは、裏蓋１６が外されることによりメンテナンス可能な位置に配設される。この構成によって、給水弁４ｂに不具合が生じた場合でも、少ない工数でメンテナンスできる。
【００３９】
さらに、エアブレーク装置１７は、洗浄槽２の後面外側に設けられ、裏蓋１６が外されることによりメンテナンス可能な位置に配設される。これにより、エアブレーク装置１７に不具合が生じた場合でも、少ない工数でメンテナンスできる。
【００４０】
（実施の形態２）
本発明の実施の形態２における食器洗い機について説明する。なお、基本的な構成は実施の形態１に記載した食器洗い機と同様であり、この構成を援用する。
【００４１】
筐体１の後面下部および漏水検知の構成について説明する。図７は、本発明の実施の形態２における食器洗い機の後面図であり、後面下部を示す。図８は、本実施の形態２における食器洗い機の後面の凹状外郭の内側面の斜視図である。図９は、本実施の形態２における食器洗い機の凹状外郭の内側面の要部斜視図である。図１０は、図７に示すＢ−Ｂ断面図である。図１１は、図９に示すＣ−Ｃ断面図である。図１２は、本実施の形態２における食器洗い機の凹状外郭の内側面の要部斜視図である。
【００４２】
筐体１は、左右側面の外郭と底面の外郭とは、一体に形成される。後面は、後面外郭１ｄと、後面外郭１ｄの下部に給水路４ａ等の外部ホースを収容する凹状外郭２６とを備える。凹状外郭２６は、ポリプロピレン（ＰＰ）などの樹脂材料を用いて、筐体１の内側に凹むように形成される。この形状により、側面と底面とが一体に形成された外郭の補強が強固になる。収容される外部ホースおよび電源コード２２は、配管固定具２７により保持される。
【００４３】
凹状外郭２６は、筐体１の内部における漏水または給水部４からの漏水、を筐体１の底面１ｅに導くように構成され、そのためのリブ２８および突起部などを有する。筐体１の内部における漏水としては、上記したように、食器洗い機の洗浄中に一時停止して洗浄槽２が引き出され、内蓋１０から後部の空間に洗浄水が滴下したり、滴下した洗浄水が筐体１の後面を伝って流れ落ちたりるする場合がある。
【００４４】
凹状外郭２６は、内側に凹んでいることにより、その上方から滴下する洗浄水を受け止める。さらに、具体的な構成として、後面外郭１ｄとの上部嵌合部において外側に嵌合する第１リブ２８ａを有する。また、筐体１の底面１ｅとの下部嵌合部において内側に延出される第２リブ２８ｂを有する。さらに、配管固定具２７の係合孔２７ａが設けられ、その係合孔２７ａの上部に内側に延出される第３リブ２８ｃを有する。
【００４５】
図９および図１０に、漏水の流れの一例として、筐体１の後面外郭１ｄの内側を伝って流れ落ちる状態を矢印Ｗ１、Ｗ２、Ｗ３で示す。第１リブ２８ａは、筐体１の内部において、後面外郭１ｄの内側を伝い落ちる漏水が機外に出ることを防止し、矢印Ｗ１のように凹状外郭２６の内面に導く。第２リブ２８ｂは、凹状外郭２６の内面を伝い落ちる漏水が機外に出ることを防止し、矢印Ｗ２のように筐体１の底面１ｅに導く。第３リブ２８ｃは、係合孔２７ａから漏水が機外に出ることを防止し、矢印Ｗ３のように、凹状外郭２６の内面または筐体１の底面１ｅに導く。
【００４６】
筐体１の底面１ｅの所定位置には、水漏れを検知する漏水検知部２９が設けられる。漏水検知部２９は、底面１ｅの傾斜により、漏水が導かれる位置に設けられる。このようにして、底面１ｅに導かれた漏水は、漏水検知部２９に到達する。
【００４７】
次に、給水路４ａの漏水検知について説明する。凹状外郭２６は、給水路４ａ、排水路２０および電源コード２２が鉛直方向に通過する貫通孔３０を有する。給水路４ａは第１貫通孔３０ａを通過する。排水路２０は、第２貫通孔３０ｂを通過する。電源コード２２は、第３貫通孔３０ｃを通過する。
【００４８】
給水路４ａおよび排水路２０は、それぞれの貫通孔３０において機内と機外との給水路接続部４ｄおよび排水路接続部２０ａを有する。そして、それぞれ外部給水ホース４ｃおよび外部排水ホース２０ｂが接続される。すなわち、給水路４ａは、筐体１の機内側と機外側とで分割される構成である。外部給水ホース４ｃは、設置時の作業者により給水路接続部４ｄに接続される。外部給水ホース４ｃは、水道などの外部の給水源から給水路接続部４ｄまで洗浄水を導く。そして、第１貫通孔３０ａは、給水路接続部４ｄの直径より大きく形成され、保持用リブを設けることにより隙間Ｘを有して給水路接続部４ｄを保持している。
【００４９】
給水路４ａは、外部給水ホース４ｃを覆う導水管３１を有する。導水管３１の内径は、外部給水ホース４ｃの外形より大きく、空間Ｓが設けられるように形成される。凹状外郭２６は、第１貫通孔３０ａの機外側に導水管３１が水密的に接続される導水管接続部３１ａを有する。導水管３１は、設置時の作業者により導水管接続部３１ａに接続される。導水管３１は柔軟な材料で形成され、導水管接続部３１ａに押し込むことにより水密的に接続される。なお、嵌め込まれた上にバンディングされることが望ましく、より外れにくくなる。
【００５０】
導水管３１は、外部給水ホース４ｃまたは給水路接続部４ｄから漏水が発生した場合、漏水を外部給水ホース４ｃとの空間Ｓに溜める。漏水は、空間Ｓの容積を超えると、導水管接続部３１ａおよび第１貫通孔３０ａと給水路接続部４ｄとの隙間Ｘから機内に溢れる。
【００５１】
また、凹状外郭２６は、第１貫通孔３０ａの機内側に半円帯状の突起形状に形成される誘導部３１ｂを有する。誘導部３１ｂは、導水管３１から第１貫通孔３０ａを介して機内に溢れる漏水を内側に導く。このようにして、溢れる漏水は、図１１および図１２に示す矢印Ｗ４のように流れる。矢印Ｗ４のように溢れた漏水は、第２リブ２８ｂによって筐体１の底面１ｅに導かれる。
【００５２】
このようにして、凹状外郭２６は、内蓋１０から滴下する漏水、筐体１の後面外郭１ｄの内側を伝って流れ落ちる漏水、および、導水管３１に溜まって溢れる漏水を受けて、機外に漏らさないとともに、筐体１の底面１ｅに導くことができる。そして、底面１ｅに導かれた漏水は、漏水検知部２９に到達する。これにより、制御部１５は、漏水検知部２９からの信号により漏水を検知できる。さらに、制御部１５に警報機能が設けられれば、制
御部１５は、音および表示などによる警報を使用者に発することができる。
【００５３】
以上のように、本実施の形態の食器洗い機は、
前面に前面開口部１ａを有する筐体１と、上面に上面開口部２ａを有し被洗浄物Ｄを収容する洗浄槽２と、筐体１内に収容された洗浄槽の上面開口部２ａを閉塞する内蓋１０と、洗浄槽２内に洗浄水を供給する給水部４と、洗浄水を加圧する洗浄ポンプ３と、筐体１の底面１ｅに設けられ水漏れを検知する漏水検知部２９と、洗い工程およびすすぎ工程を含む洗浄運転を実行する制御部１５と、を備え、筐体１は、後面外郭１ｄと、後面外郭１ｄの下部に外部給水ホース４ｃなどを収容する凹状外郭２６とを備え、凹状外郭２６は、樹脂で形成され、筐体１の内部における漏水または給水部４からの漏水を筐体１の底面１ｅに導くように構成される。
【００５４】
この構成によって、筐体１の外郭において外部給水ホース４ｃを接続できる構成にできる。さらに、内蓋１０から滴下する漏水、筐体１の後面外郭１ｄの内側を伝って流れ落ちる漏水、および、導水管３１に溜まって溢れる漏水などが発生しても、凹状外郭２６がこれらの漏水を受けて、機外に漏らさないとともに、筐体１の底面１ｅに導くことができる。そして、底面１ｅに導かれた漏水は、漏水検知部２９に到達する。これにより、制御部１５は、漏水検知部２９からの信号により漏水を検知できる。
【産業上の利用可能性】
【００５５】
以上のように、本発明にかかる食器洗い機は、筐体の内部における漏水または前記給水部からの漏水などが発生しても、凹状外郭がこれらの漏水を受けて、機外に漏らさないとともに、筐体の底面に導いて漏水検知部に到達させ、制御部は、漏水検知部からの信号により漏水を検知することができるので、家庭用などの食器洗い機として有用である。
【符号の説明】
【００５６】
１  筐体
１ａ  前面開口部
１ｂ  後面開口部
１ｃ  段押し部
１ｄ  後面外郭
１ｅ  底面
２  洗浄槽
２ａ  上面開口部
３  洗浄ポンプ
４  給水部
４ａ  給水路
４ｂ  給水弁
４ｃ  外部給水ホース
４ｄ  給水路接続部
５  扉体
６  食器かご
７  洗浄ノズル
８  排水口
９  残さいフィルタ
１０  内蓋
１１  リンク機構
１２  シール部
１３  ヒータ
１４  温度センサ
１５  制御部
１６  裏蓋
１７  エアブレーク装置
１８  給水ホース
１９  排水ホース
２０  排水路
２０ａ  排水路接続部
２０ｂ  外部排水ホース
２１支持部
２２  電源コード
２３  コネクタ
２４  ケース
２４ａ  ケース開口部
２４ｂ  上面
２４ｃ  リブ
２４ｄ  通し孔
２５  ハーネス
２６  凹状外郭
２７  配管固定具
２７ａ  係合孔
２８  リブ
２８ａ  第１リブ
２８ｂ  第２リブ
２８ｃ  第３リブ
２９  漏水検知部
３０  貫通孔
３０ａ  第１貫通孔
３０ｂ  第２貫通孔
３０ｃ  第３貫通孔
３１  導水管
３１ａ  導水管接続部
３１ｂ  誘導部
Ｄ  被洗浄物
Ｓ  空間
ＳＫ  システムキッチン
Ｘ  隙間
【図１】
2019208584.tif 000003
【図２】
2019208584.tif 000004
【図３】
2019208584.tif 000005
【図４】
2019208584.tif 000006
【図５】
2019208584.tif 000007
【図６】
2019208584.tif 000008
【図７】
2019208584.tif 000009
【図８】
2019208584.tif 000010
【図９】
2019208584.tif 000011
【図１０】
2019208584.tif 000012
【図１１】
2019208584.tif 000013
【図１２】
2019208584.tif 000014
【図１３】
2019208584.tif 000015